(57)【要約】【課題】輝度を低下させることなく広い色再現範囲の発光を調光により再現する照明装置を提供する。【解決手段】発光モジュール１０において、第１の発光素子を有し青色に発光する第１の発光単位１２０ａと、第２の発光素子及び第２の発光素子から放射される光によって緑色又は黄色に発光する第１の波長変換部材１３０ｂを有する第２の発光単位１２０ａと、第３の発光素子及び第３の発光素子から放射される光によって赤色に発光する第２の波長変換部材１３０ｃを有する第３の発光単位１２０ｃと、第１の波長変換部材１３０ｂから発する光の主出射方向前方に配設され第２の発光素子から放射される光のピーク波長の波長領域の透過を抑制する第１の部分と、第２の波長変換部材１３０ｃから発する光の主出射方向前方に配設され第３の発光素子から放射される光のピーク波長の波長領域の透過を抑制する第２の部分を有するフィルター部１４０とを備えた。【選択図】図７
2013257985.tif 000002
【特許請求の範囲】
【請求項１】
第１の発光素子を有し青色に発光する第１の発光単位と、
第２の発光素子、及び当該第２の発光素子から放射される光によって緑色又は黄色に発光する第１の波長変換部材を有する第２の発光単位と、
第３の発光素子、及び当該第３の発光素子から放射される光によって赤色に発光する第２の波長変換部材を有する第３の発光単位と、
前記第１の波長変換部材から発する光の主出射方向前方に配設され前記第２の発光素子から放射される光のピーク波長の波長領域の透過を抑制する第１の部分と、前記第２の波長変換部材から発する光の主出射方向前方に配設され前記第３の発光素子から放射される光のピーク波長の波長領域の透過を抑制する第２の部分を有するフィルター部材と
を備えた発光モジュール。
【請求項２】
前記フィルター部材は、前記第１の部分、前記第２の部分とも、３８０ｎｍ〜４９５ｎｍの波長範囲の光の透過を抑制する請求項１記載の発光モジュール。
【請求項３】
前記フィルター部材は、３８０ｎｍ〜４９５ｎｍの波長範囲における光の平均透過率が１５％以下である請求項２記載の発光モジュール。
【請求項４】
前記フィルター部材は、前記第１の発光単位の主出射方向に配設されていない請求項１記載の発光モジュール。
【請求項５】
請求項１から４の何れかに記載の発光モジュールと、当該発光モジュールから照射される光を透過するカバーを備えたランプユニット。
【請求項６】
請求項５記載のランプユニットを備えた照明装置。
【発明の詳細な説明】
【技術分野】
【０００１】
本発明は、発光ダイオード（以下、ＬＥＤ（Ｌｉｇｈｔ  Ｅｍｉｔｔｉｎｇ  Ｄｉｏｄｅ））、レーザーダイオード（以下、ＬＤ（Ｌａｓｅｒ  Ｄｉｏｄｅ））を用いた発光モジュール、ランプユニット、照明装置等に関する。
【背景技術】
【０００２】
近年、空間照明では、様々なシーンに応じた照明光を実現する為、色温度可変ＬＥＤ照明が提案されている。照明光源の照明光には、日本工業規格ＪＩＳ：Ｚ９１１２で定められた５つの色（色温度）が存在する。それら５つの色のうち、電球色（色温度３０００Ｋ）、昼白色（色温度５０００Ｋ）および昼光色（色温度６７００Ｋ）は、室内照明によく利用されており、電球色、昼光色および昼白色を調光によって再現できる照明装置が求められる。その手段として、青色ＬＥＤのみを実装した青色発光単位、青色ＬＥＤとその光により緑色光を発する緑色蛍光体を有する緑色発光単位、青色ＬＥＤとその光により赤色光を発する赤色蛍光体を有する赤色発光単位を備え、それぞれの光出力を調整可能な制御装置とを有する方式が提案されている（特許文献１）。このような照明装置は、照明光源としてＬＥＤを用いて白色光を得る方式として、色を変化させることができる。
【先行技術文献】
【特許文献】
【０００３】
【特許文献１】特開２００７−１２２９５０号公報
【発明の概要】
【発明が解決しようとする課題】
【０００４】
しかしながら、発光素子（ＬＥＤ）とその光により励起される蛍光体とを有する発光単位を用いた発光モジュールでは、電球色を再現しようとすると、各発光単位に搭載する蛍光体量を増加し、発光単位としての色純度を高くする必要がある。この場合、蛍光体からの光が蛍光体層内部で拡散して輝度が低下し、発光モジュールとしての発光効率が低下する。本発明は、上記問題点に鑑み、発光の輝度を低下させることなく広い色再現範囲の発光を調光により再現することができる照明装置を提供することを目的とする。
【課題を解決するための手段】
【０００５】
上記目的を達成するために、本発明の一態様に係る発光モジュールは、第１の発光素子を有し青色に発光する第１の発光単位を備える。加えて、第２の発光素子、及び当該第２の発光素子から放射される光によって緑色又は黄色に発光する第１の波長変換部材を有する第２の発光単位を備える。さらに、第３の発光素子、及び当該第３の発光素子から放射される光によって赤色に発光する第２の波長変換部材を有する第３の発光単位を備える。さらに、前記第１の波長変換部材から発する光の主出射方向前方に配設され前記第２の発光素子から放射される光のピーク波長のピーク波長の波長領域の透過を抑制する第１の部分と、前記第２の波長変換部材から発する光の主出射方向前方に配設され前記第３の発光素子から放射される光のピーク波長のピーク波長の波長領域の透過を抑制する第２の部分を有するフィルター部材を備えたものとする。
【０００６】
本発明の一態様に係るランプユニットは、前記発光モジュールと、当該発光モジュールから照射される光を透過するカバーを備えたことを特徴とする。
本発明の一態様に係る照明装置は、前記ランプユニットを備えたことを特徴とする。
【発明の効果】
【０００７】
本発明一態様に係る発光モジュール、ランプユニット、照明装置は、発光単位からフィルターを通して出力される光の発光の輝度を低下させることなく色純度を高めることで、広い色再現範囲の照明光を効率よく調光により再現することができる。
【図面の簡単な説明】
【０００８】
【図１】第１の実施形態に係る発光単位を構成する発光素子及び蛍光体層の発光スペクトルを示す図
【図２】発光単位を構成する発光素子及び蛍光体層の発光強度と蛍光体量との関係を示す図
【図３】発光単位からの発光の示す色度と、発光モジュールからの発光の色度との関係を示す色度図
【図４】第１の実施形態に係る照明装置を示す縦断面図
【図５】第１の実施形態に係るランプユニットを示す斜視図
【図６】第１の実施形態に係るランプユニットを示す分解斜視図
【図７】第１の実施形態に係る発光モジュールを示す斜視図
【図８】図７においてＡ−Ａ線で切った断面を示す断面図
【図９】第１の実施形態に係る発光モジュールと回路ユニットとの接続状態を示す配線図
【図１０】第１の実施形態に係るフィルターの透過スペクトルを示す図
【図１１】第１の実施形態に係る発光モジュールの製造方法を示す模式図
【図１２】第１の実施形態に係る発光単位を構成する発光素子及び蛍光体層の発光強度と蛍光体量との関係を示す図
【図１３】第１の実施形態に係るフィルターの透過率と、発光単位を構成する発光素子、及び蛍光体層の発光スペクトルの関係を示す図
【図１４】第１の実施形態に係る発光単位からフィルターを通して出力される光の示す色度と、発光モジュールからの発光の色度の関係を示す色度図
【図１５】第１の実施形態の変形例に係る発光モジュールを示す斜視図
【図１６】図１５においてＢ−Ｂ線で切った断面を示す断面図
【図１７】第２の実施形態に係るランプユニットを示す斜視図
【図１８】第２の実施形態に係るランプユニットを示す分解斜視図
【図１９】第２の実施形態に係る発光モジュールを示す平面図
【図２０】図１９において、Ｃ−Ｃ線で切った断面を示す第２の実施形態に係る発光モジュールにおける緑色発光パッケージの断面図
【図２１】第２の実施形態に係る発光モジュールと点灯回路を示す配線図
【図２２】第２の実施形態の変形例に係る発光モジュールにおける緑色発光パッケージの断面図
【発明を実施するための形態】
【０００９】
≪発明の態様≫
本発明の一態様に係る発光モジュールは、第１の発光素子を有し青色に発光する第１の発光単位を備える。加えて、第２の発光素子、及び当該第２の発光素子から放射される光によって緑色又は黄色に発光する第１の波長変換部材を有する第２の発光単位を備える。さらに、第３の発光素子、及び当該第３の発光素子から放射される光によって赤色に発光する第２の波長変換部材を有する第３の発光単位を備える。さらに、前記第１の波長変換部材から発する光の主出射方向前方に配設され前記第２の発光素子から放射される光のピーク波長のピーク波長の波長領域の透過を抑制する第１の部分と、前記第２の波長変換部材から発する光の主出射方向前方に配設され前記第３の発光素子から放射される光のピーク波長のピーク波長の波長領域の透過を抑制する第２の部分を有するフィルター部材を備えたものとする。
【００１０】
ここで、「発光モジュール」とは、複数の発光単位を有し、各発光単位からの光を合成して、発光する構成又はその組合せを指す。
また、「発光単位」とは、同一の発光モジュールにおいて、同じ色の光を発する発光範囲を指す。発光単位は、電気的に同一条件で駆動される範囲である必要はあるが、電気的に同一条件で駆動される範囲の全てを含む必要はない。なお、発光単位は、電気的に同一条件で駆動される範囲の全てであっても良い。また、発光単位は、単一の発光素子であってもよく、又は複数の発光素子から構成されても良い。
【００１１】
また、「主出射方向」とは、ある構成要素から外部に向けて光が照射される場合において、構成要素全体において発光される光の強度が最も大きい方向を指す。
本発明の別の態様として、前記発光モジュールは駆動回路を更に備え、前記駆動回路は、前記第１の発光単位、前記第２の発光単位、及び前記第３の発光単位の発光強度比を調整して複数の色温度の照明光を出力するように制御する構成とすることができる。
【００１２】
また、本発明の別の態様として、前記発光モジュールにおいて、前記フィルター部材は、３８０ｎｍ〜４９５ｎｍの波長範囲の光の透過を抑制する構成とすることができる。
また、本発明の別の態様として、前記発光モジュールにおいて、前記フィルター部材は、３８０ｎｍ〜４９５ｎｍの波長範囲における光の平均透過率が１５％以下とすることができる。
【００１３】
また、本発明の別の態様として、前記発光モジュールにおいて、前記フィルター部材は、前記第１の発光単位の主出射方向に配設されていない構成とすることができる。
本発明の別の態様として、前記発光モジュールは、更に基板を備え、前記第１の発光素子、前記第２の発光素子、及び前記第３の発光素子は前記基板に配設され、前記第１の波長変換部材は前記第２の発光素子の主出射面に積層され、前記第２の波長変換部材は前記第３の発光素子の主出射面に積層された構成とすることができる。
【００１４】
また、本発明の別の態様として、前記発光モジュールにおいて、前記第１の波長変換部材は前記第２発光素子の表面を覆うように配設され、前記第２の波長変換部材は前記第３の発光素子の表面を覆うように配設された構成とすることができる。
また、本発明の別の態様として、前記発光モジュールにおいて、前記フィルター部材は、前記第１の部分が前記第１の波長変換部材に積層され、前記第２の部分が前記第２の波長変換部材に積層された構成とすることができる。
【００１５】
また、本発明の別の態様として、前記発光モジュールにおいて、前記フィルター部材は、前記第１の部分と前記第２の部分が離間して配設された構成とすることができる。
また、本発明の別の態様として、前記発光モジュールにおいて、前記フィルター部材は、前記第１の発光単位に含まれる発光素子の主出射面側に開口部を有する構成とすることができる。
【００１６】
また、本発明の別の態様として、前記発光モジュールにおいて、前記第１の発光単位、前記第２の発光単位、及び前記第３の発光単位は、各々第１の基底部、第２の基底部、及び第３の基底部を有し、前記第１の発光素子、前記第２の発光素子、及び前記第３の発光素子は、各々前記第１の基底部、第２の基底部、及び第３の基底部に配設された構成とすることができる。
【００１７】
また、本発明の別の態様として、前記発光モジュールにおいて、前記第２の基底部、及び前記第３の基底部は、各々が平面部と当該平面部の外周部分に配設された側壁部を有し、前記第２の発光素子は前記平面部に配設され、前記第１の波長変換部材は前記第２の発光素子を覆うように前記側壁部及び平面部に囲まれた領域に配設され、前記第３の発光素子は前記平面部に配設され、前記第２の波長変換部材は前記第３の発光素子を覆うように前記側壁部及び平面部に囲まれた領域に配設され前記フィルター部材は前記側壁部の頂部に配設された構成とすることができる。
【００１８】
また、本発明の別の態様として、前記発光モジュールにおいて、前記第１の波長変換部材及び前記第２の波長変換部材は各々前記側壁部の頂部に配設される構成とすることができる。
また、本発明の別の態様として、前記発光モジュールにおいて、前記フィルター部材は、前記第２の発光単位及び前記第３の発光単位ごとに分割して配設された構成とすることができる。
【００１９】
また、本発明の別の態様として、前記発光モジュールにおいて、前記発光モジュールは、更に実装基板を備え、前記第１の発光単位、前記第２の発光単位、及び前記第３の発光単位は前記実装基板に配設された構成とすることができる。
また、本発明の別の態様として、前記発光モジュールは駆動回路を更に備え、前記駆動回路は、前記第１の発光単位、前記第２の発光単位、及び前記第３の発光単位の発光強度比を調整して複数の色温度の照明光を出力するように制御する構成とすることができる。
【００２０】
また、本発明の一態様に係るランプユニットは、上記記載の発光モジュールと、当該発光モジュールから照射される光を透過するカバーを備えた構成をとることができる。
また、本発明の一態様に係る照明装置は、前記ランプユニットを備えた構成とすることができる。
≪発明に至った経緯≫
発光モジュールを構成する各発光単位に含まれる蛍光体量と、発光単位から発光される光の強度、及び、発光モジュールの発光の色度について検討する中で、発明者は以下の知見を得た。図１（ａ）は、青色ＬＥＤ発光素子に対し緑色蛍光体を用いた場合の発光スペクトルである。図１（ｂ）は、青色ＬＥＤ発光素子に対し赤色蛍光体を用いた場合の発光スペクトルである。青色ＬＥＤ発光素子１２０は、発光ピーク波長が４６０ｎｍの発光スペクトルを有する。
【００２１】
図２は、青色ＬＥＤを用いた発光素子と赤色蛍光体とを有する赤色発光単位から発光される発光素子及び蛍光体層の発光の光の強度を、赤色蛍光体層に含まれる蛍光体の総量との関係を傾向として示した図である。図３は、発光単位からの光の色度と、発光モジュールからの発光の色度との関係を示す色度図であり、発光モジュールの色再現範囲を示す。
図２に示すように、赤色蛍光体が最大の輝度を発光する蛍光体量Ａの付近で発光単位を構成し点灯させた場合、赤色蛍光体からの赤色光に、蛍光体層に吸収されなかった青色ＬＥＤ発光素子からの光が混合して出力される。そのため、図３の矢印Ａで示すように、赤色発光単位からの光の色度が、本来赤色蛍光体から発光される赤色光の色度に比べて青色方向にシフトする。また、同様に、青色ＬＥＤ発光素子とその光により励起される緑色蛍光体とを有する緑色発光単位からの光の色は、緑色蛍光体からの緑色光に青色ＬＥＤ発光素子からの青色光が混合される。そのため、図３の矢印Ｂで示すように、発光単位からの光の色度が、本来緑色蛍光体から発光される光の色度に比べて青色方向にシフトする。発光モジュールの各発光単位からの光の３原色を組合せて白色光を得るときの色再現範囲は、図３において、青色ＬＥＤ発光素子からの光の色度、赤色発光単位からの光の色度、緑色発光単位からの光の色度によって形成される三角形の範囲として表される。上記したように、緑色発光単位からの光の色度が、Ｇ０からＧ１に向けて、青色方向へシフトする。また、赤色発光単位からの光の色度が、Ｒ０からＲ１に向けて、青色方向へシフトする。そのため、上記三角形の面積が、三角形Ｂ１−Ｇ０−Ｒ０で示された範囲から、三角形Ｂ１−Ｇ１−Ｒ１に囲まれた範囲まで減少し色再現範囲が縮小する。このとき、電球色（色温度３０００Ｋ）の色度座標は、縮小した三角形の外部に存在する。そのため、発光モジュールにおいて、各発光単位からの光の３原色を組合せて白色光を得るときに色温度の可変範囲（色度図上の実線で表す黒体軌跡）も狭くなり、発光モジュールが電球色（色温度３０００Ｋ）を再現することができないという問題が生じる。すなわち、蛍光体が最大の輝度を発光する蛍光体量Ａの付近で発光単位を構成した場合、蛍光体からの光に対して、蛍光体層に吸収されなかった青色ＬＥＤ発光素子からの青色光が混合して出力されるので色温度の可変範囲を縮小するという知見を得た。
【００２２】
一方、色温度の可変範囲を拡大するためには、緑色発光単位、赤色発光単位、其々から放射する光の色純度を高めればよい。そのためには、図２で示すように、その発光単位を構成する蛍光体量を蛍光体量Ｂまで増加し、青色ＬＥＤ発光素子からの光を漏れなく赤色光に変換する構成を採ることができる。しかしながら、蛍光体量をＢまで増加すると、色純度は高くなる一方、蛍光体からの光が蛍光体層内部で拡散し赤色蛍光体が発する光の輝度が低下し、発光単位として効率が低下するという問題があることを知見として得た。かかる、輝度低下は、電球色（色温度３０００Ｋ）の再現のための色再現範囲の拡大するように蛍光体層を構成したことに起因する。しかしながら、同じ発光モジュールを用いて調光により、昼白色（色温度５０００Ｋ）や昼光色（色温度６７００Ｋ）の光を発光させる場合にも、拡散による迷光は発生する。そのため、電球色（色温度３０００Ｋ）の再現時のみならず、昼白色（色温度５０００Ｋ）や昼光色（色温度６７００Ｋ）再現時にも、輝度低下は発生し、調光用の発光モジュールとして課題となる。
【００２３】
発明者は、上記、課題に気付き、鋭意検討を重ねた結果、以下の本発明を想到するに至った。
尚、「緑色発光単位」、「赤色発光単位」とは、概ね緑色、及び概ね赤色の光を発光する発光単位を意味する。また、「緑色蛍光体」、及び「赤色蛍光体」とは、各々、概ね緑色、及び概ね赤色の光を発光する蛍光体を意味する。また、「青色ＬＥＤ素子」とは、概ね青色の光を発光するＬＥＤ素子を意味する。
≪第１の実施形態≫
以下、本発明の第１の実施形態に係る発光モジュール、ランプユニット、照明装置について、図面を参照しながら説明する。なお、各図面における部材の縮尺は実際のものとは異なる。また、本願において、数値範囲を示す際に用いる符号「〜」は、その両端の数値を含む。
＜照明装置＞
図４は、本発明の一態様に係る照明装置を示す断面図である。図４に示すように、本発明の一態様に係る照明装置１は、例えば、天井２に埋め込むようにして取り付けられるダウンライトであって、器具３、回路ユニット４、調光ユニット５、および、本発明の一態様に係るランプユニット６を備える。
【００２４】
器具３は、例えば、金属製であって、ランプ収容部３ａ、回路収容部３ｂおよび外鍔部３ｃを有する。ランプ収容部３ａは、例えば有底円筒状であって、内部にランプユニット６が着脱自在に取り付けられる。ランプ収容部３ａにおけるランプユニット６側の面には、例えば反射面が形成されている。回路収容部３ｂは、例えばランプ収容部３ａの底側に延設されており、内部に回路ユニット４が収容されている。外鍔部３ｃは、例えば円環状であって、ランプ収容部３ａの開口部から外方へ向けて延設されている。器具３は、ランプ収容部３ａおよび回路収容部３ｂが天井２に貫設された埋込穴２ａに埋め込まれ、外鍔部３ｃが天井２の下面２ｂにおける埋込穴２ａの周部に当接された状態で、例えば取付ねじによって天井２に取り付けられる。
【００２５】
回路ユニット４は、ランプユニット６を点灯させるためのものであって、ランプユニット６と電気的に接続される電源線４ａを有し、当該電源線４ａの先端にはランプユニット６のリード線７１のコネクタ７２と着脱自在に接続されるコネクタ４ｂが取り付けられている。なお、照明装置１では、ランプユニット６と回路ユニット４とが別々にユニット化されているが、本発明に係るランプユニットは、回路ユニット４に相当する回路がランプユニットに内蔵された構成であっても良い。
【００２６】
調光ユニット５は、ユーザーがランプユニット６の照明光の色温度の設定をするためのものであって、回路ユニット４と電気的に接続されており、ユーザーの操作を受けて調光信号を回路ユニット４に出力する。
＜ランプユニット＞
図５は、本発明の一態様に係るランプユニットを示す斜視図である。図５に示すように、ランプユニット６は、本発明の一態様に係る発光モジュール１０を光源として内蔵している。
【００２７】
図６は、本発明の一態様に係るランプユニットを示す分解斜視図である。図６に示すように、ランプユニット６は、発光モジュール１０以外に、例えば、ベース２０、ホルダ３０、化粧カバー４０、カバー５０、カバー押え部材６０および配線部材７０等を備える。
（ベース）
ベース２０は、例えば、アルミダイキャスト製の円板状であって、上面側の中央に搭載部２１を有し、当該搭載部２１に発光モジュール１０が搭載されている。また、ベース２０の上面側には、搭載部２１を挟んだ両側に、ホルダ３０固定用の組立ねじ３５を螺合するためのねじ孔２２が設けられている。ベース２０の周部には、挿通孔２３、ボス孔２４および切欠部２５が設けられている。それら挿通孔２３、ボス孔２４および切欠部２５の役割については後述する。
（ホルダ）
ホルダ３０は、例えば、有底円筒状であって、円板状の押え板部３１と、当該押え板部３１の周縁からベース２０側に延設された円筒状の周壁部３２とを有する。押え板部３１で発光モジュール１０を搭載部２１に押えつけることによって、発光モジュール１０はベース２０に固定されている。
【００２８】
押え板部３１の中央には、発光モジュール１０の波長変換部材１３等を露出させるための窓孔３３が形成されている。また、押え板部３１の周部には、発光モジュール１０に接続されたリード線７１がホルダ３０に干渉するのを防止するための開口部３４が、窓孔３３と連通した状態で形成されている。さらに、ホルダ３０の押え板部３１の周部には、ベース２０のねじ孔２２に対応する位置に、組立ねじ３５を挿通するための挿通孔３６が貫設されている。
【００２９】
ホルダ３０をベース２０に取り付ける際には、まず、ホルダ３０の窓孔３３から発光モジュール１０の波長変換部材１３等が露出する状態で、ベース２０とホルダ３０とで発光モジュール１０を挟持する。次に、組立ねじ３５を、ホルダ３０の押え板部３１の上方からねじ挿通孔３６に挿通し、ベース２０のねじ孔２２に螺合させることによって、ホルダ３０をベース２０に取り付ける。
（化粧カバー）
化粧カバー４０は、例えば、白色不透明の樹脂等の非透光性材料からなる円環状であって、ホルダ３０とカバー５０との間に配置されており、開口部３４から露出したリード線７１や組立ねじ３５等を覆い隠している。化粧カバー４０の中央には、発光モジュール１０の波長変換部材１３等を露出させるための窓孔４１が形成されている。
（カバー）
カバー５０は、例えば、シリコーン樹脂、アクリル樹脂、ガラス等の透光性材料により形成されており、波長変換部材１３から出射された光はカバー５０を透過してランプユニット６の外部へ取り出される。当該カバー５０は、波長変換部材１３を覆うドーム状であってレンズ機能を有する本体部５１と、当該本体部５１の周縁部から外方へ延設された外鍔部５２とを有し、当該外鍔部５２がベース２０に固定されている。
（カバー押え部材）
カバー押え部材６０は、例えば、アルミニウム等の金属や白色不透明の樹脂のような非透光性材料からなり、カバー５０の本体部５１から出射される光を妨げないように円環板状になっている。カバー５０の外鍔部５２は、カバー押え部材６０とベース２０とで挟持され固定されている。
【００３０】
カバー押え部材６０の下面側には、ベース２０側へ突出する円柱状のボス部６１が設けられている。また、カバー５０の外鍔部５２には、ボス部６１に対応する位置にボス部６１を避けるための半円状の切欠部５３が形成されている。さらに、ベース２０の周縁部には、ボス部６１に対応する位置にボス部６１を挿通するためのボス孔２４が形成されている。カバー押え部材６０をベース２０に固定する際は、カバー押え部材６０のボス部６１をベース２０のボス孔２４に挿通させ、ベース２０の下側からボス部６１の先端部にレーザ光を照射して、先端部をボス孔２４から抜けない形状に塑性変形させる。これにより、カバー押え部材６０がベース２０に固定される。
【００３１】
カバー５０の外鍔部５２、および、カバー押え部材６０の周縁部には、ベース２０の挿通孔２３に対応する位置にそれぞれ半円状の切欠部５４，６２が形成されており、挿通孔２３に挿通させる取付ねじ（不図示）がカバー押え部材６０やカバー５０に当たらないようになっている。
（配線部材）
配線部材７０は、発光モジュール１０と電気的に接続された一組のリード線７１を有し、それらリード線７１の発光モジュール１０に接続された側とは反対側の端部にはコネクタ７２が取り付けられている。発光モジュール１０に接続された配線部材７０のリード線７１は、ベース２０の切欠部２５を介してランプユニット６の外部へ導出される。
＜発光モジュール＞
図７は、本発明の一態様に係る発光モジュールを示す斜視図である。図８は、断面図であって、図７におけるＡ−Ａ線で切った断面を示す断面図である。図９は、発光モジュールと回路ユニットとの接続状態を示す配線図である。
【００３２】
図７および図８に示すように、発光モジュール１０は、基板１１０と、発光素子１２０ａ1〜１２０ａ5，１２０ｂ1〜１２０ｂ5，１２０ｃ1〜１２０ｃ5，１２０ｄ1〜１２０ｄ5，１２０ｅ1〜１２０ｅ5、１２０ｆ1〜１２０ｆ5（以下、「ａ1〜ａ5，ｂ1〜ｂ5，ｃ1〜ｃ5，ｄ1〜ｄ5，ｅ1〜ｅ5，ｆ1〜ｆ5」を付して区別する説明する必要がない箇所では単に「発光素子１２０」と記載する。）を備える。さらに、封止部材１３０ａ，１３０ｂ，１３０ｃ（以下、「ａ，ｂ，ｃ」を付して区別する説明する必要がない箇所では単に「封止部材１３０」と記載する。）を備える。更に、端子部１５０ａ，１５０ｂ，１５０ｃ（以下、「ａ，ｂ，ｃ」を付して区別する説明する必要がない箇所では単に「端子部１５０」と記載する。）と、グランド端子部１６０と、配線パターン１７０を備える。
（基板）
基板１１０は、例えば、セラミック基板や熱伝導樹脂などからなる絶縁層とアルミ板などからなる金属層との２層構造を有し、略方形の板状である。基板１１０の上面には複数の発光素子１２０が実装されている。基板の厚みは１．８ｍｍ、幅Ｗ１は２０ｍｍ、奥行きＷ２は２４ｍｍである。
（発光素子）
発光素子１２０は、例えば、約４６０ｎｍに主波長を有する青色光を出射するＧａＮ系のＬＥＤであって、発光ピーク波長が４６０ｎｍの青色ＬＥＤであり、図７のｚ軸方向を主出射方向として光を照射する。前記発光素子１２０の発する光は、図１に示すような発光スペクトルを有する。なお、発光素子１２０の発光ピーク波長は、４６０ｎｍに限定されず、４４５ｎｍ〜４６５ｎｍの範囲内であればよい。発光素子１２０は、基板１１０の上面にＣＯＢ（Ｃｈｉｐ  ｏｎ  Ｂｏａｒｄ）技術を用いて実装されている。なお、本実施の形態では、発光素子１２０はＬＥＤであり、発光モジュール１０はＬＥＤモジュールであるが、発光素子１２０は、例えば、ＬＤ（レーザーダイオード）であっても良く、ＥＬ素子（エレクトリックルミネッセンス素子）であっても良い。
【００３３】
複数の発光素子１２０は、５個の発光素子が列状に並んだ複数の発光素子（１２０ａ1〜１２０ａ5，１２０ｂ1〜１２０ｂ5，１２０ｃ1〜１２０ｃ5，１２０ｄ1〜１２０ｄ5，１２０ｅ1〜１２０ｅ5、１２０ｆ1〜１２０ｆ5）ごとに６行の発光素子列１２１ａ〜１２０ｆを構成している。そして、それら発光素子列は、基板１１０の上面に、複数行平行に並べて配置されている。複数の発光素子列の間の行の間隔Ｗ３は３ｍｍである。複数の発光素子１２０は全体として、基板１１０を平面方向（ｚ軸方向）から見たときに、略矩形に配置されている。
【００３４】
ここで、「列」とは、電気的に直列に接続された各々の発光素子をさし、「行」とは、並行に配設された各々の発熱素子列を指す。具体的には、例えば、３０個の発光素子１２０が５列６行でマトリックス状に実装されている。すなわち、１つの発光素子列は５個の発光素子で構成され、そのような発光素子列が６行並べて実装されている。なお、複数の発光素子１２０の構成は５列６行の総計３０個に限定されず、１列以上３行以上で構成され総計３個以上で構成されていれば良い。
（封止部材、及び波長変換部材）
各発光素子列１２１ａ〜１２０ｆは、それぞれ長尺状の封止部材１３０ａ，１３０ｂ，１３０ｃによって行毎に個別に封止されている。封止部材１３０ａは、透光性の樹脂材料で形成されている。樹脂材料としては、例えば、シリコーン樹脂、フッソ樹脂、シリコーン・エポキシのハイブリッド樹脂、ユリア樹脂などを用いることができる。
【００３５】
封止部材１３０は蛍光体を含むことができる。封止部材１３０ｂは、緑色蛍光体を含有した透光性の樹脂材料であって、緑色蛍光体層を構成する。緑色蛍光体としては、Ｅｕ2+付活とするアルカリ土類金属シリケート蛍光体、酸窒化物蛍光体、サイアロン結晶を母体とする酸窒化物蛍光体、硫化物蛍光体、Ｃｅ3+付活とするスカンジウム酸塩蛍光体、ガーネット結晶を母体とする酸化物蛍光体が挙げられる。例えば、ＳｒＧａ2Ｓ4：Ｅｕ2+、（ＢａＳｒ）2ＳｉＯ4：Ｅｕ2+、Ｃａ3Ｓｃ2Ｓｉ3０12：Ｃｅ3+、（Ｓｉ，Ａｌ）6（Ｏ，Ｎ）6：Ｅｕ2+、ＢａＳｉ6Ｏ12Ｎ2：Ｅｕ2+等を用いることができる。
【００３６】
また緑色蛍光体の代わりに黄色蛍光体であってもよく、黄色蛍光体としては、Ｅｕ2+付活とするアルカリ土類金属シリケート蛍光体、酸窒化物蛍光体、サイアロン結晶を母体とする酸窒化物蛍光体、硫化物蛍光体、Ｃｅ3+付活とするガーネット結晶を母体とする酸化物蛍光体が挙げられる。例えば、Ｙ3Ａｌ5Ｏ12：Ｃｅ3+等を用いることができる。
封止部材１３０ｃには、赤色蛍光体を含有した透光性の樹脂材料であって、赤色蛍光体層を構成する。赤色蛍光体としては、Ｅｕ2+付活とする窒化物蛍光体、酸窒化物蛍光体、サイアロン結晶を母体とする酸窒化物蛍光体、アルカリ土類金属シリケート蛍光体、硫化物蛍光体が挙げられる。例えば、（Ｃａ，Ｓｒ）2Ｓｉ5Ｎ8：Ｅｕ2+、（Ｃａ，Ｓｒ）ＡｌＳｉＮ3：Ｅｕ2+、ＣａＳｉＮ2：Ｅｕ2+等を用いることができる。
【００３７】
本実施の形態では、６行ある発光素子列１２０ａ〜１２０ｆのうち、図７右側から、１番目と２番目の発光素子列１２０ａ，１２０ｂは蛍光体を含まない封止部材１３０ａが配設されている。３番目と４番目の発光素子列には１２０ｃ，１２０ｄには緑色蛍光体Ｃａ3Ｓｃ2０4：Ｃｅ3+を含む封止部材１３０ｂが配設されている。５番目と６番目の発光素子列１２０ｅ，１２０ｆには、赤色蛍光体ＣａＡｌＳｉＮ3：Ｅｕ2+を含む封止部材１３０ｃが配設されている。（以降、封止部材１３０ｂを「第１の波長変換部材１３０ｂ」と、封止部材１３０ｃを「第２の波長変換部材１３０ｃ」と称する。）具体的には、第１の波長変換部材１３０ｂの蛍光体は、発光素子１２０から出射された約４６０ｎｍに主波長を有する青色光を第１の波長として約５１０ｎｍ付近に主波長を有する緑色光に変換する蛍光体である。一方、第２の波長変換部材１３０ｃの蛍光体は、発光素子１２０から出射された約４６０ｎｍに主波長を持つ青色光を第２の波長として約６３０ｎｍ付近に主波長を有する赤色光に変換する蛍光体である。
【００３８】
これにより、発光素子列１２０ａ，１２０ｂは、発光素子１２０から出射される青色光をそのまま出力することができる。発光素子列１２０ｃ，１２０ｄは、発光素子１２０から出射される青色光を概ね緑色に変換して出力することができる。発光素子列１２０ｅ，１２０ｆは発光素子１２０から出射される青色光を概ね赤色に変換して出力することができる。
【００３９】
なお、発光素子列１２０ｃ，１２０ｄおよび発光素子列１２０ｅ，１２０ｆに用いる発光素子は、青色ＬＥＤに限らず近紫外発光ＬＥＤであってもよい。ただし、発光素子列１２０ｃ，１２０ｄおよび発光素子列１２０ｅ，１２０ｆに用いる発光素子は、青色ＬＥＤのほうが本発明の作用効果をより発揮することができる。
発光素子１２０の光軸上における第１の波長変換部材１３０ｂの厚み、および第２の波長変換部材１３０ｃの厚みｔ１は、例えば０．８ｍｍである。なお、発光素子１２０の光軸上における第１の波長変換部材１３０ｂの厚み、および第２の波長変換部材１３０ｃの厚みｔ１は、０．２ｍｍ以上１．８ｍｍ以下が好ましい。この場合、製造時において、第１の波長変換部材１３０ｂおよび第２の波長変換部材１３０ｃを一回の塗布形成で形成しやすくすることができる。
【００４０】
尚、上記実施の形態では、緑色発色単位に用いる第１の波長変換部材１３０ｂに含まれる蛍光体として、緑色発光蛍光体Ｃａ3Ｓｃ2０4：Ｃｅを用いたが、緑色又は黄色の波長範囲に発光分布を有する蛍光体を用いる構成であっても良い。例えば、黄色の波長範囲に発光分布を有する蛍光体としては、５５０ｎｍにピーク波長を有するＹ3Ａｌ5Ｏ12：Ｃｅ3+を用いることができる。
（端子部、配線パターン）
６行ある発光素子列は、２行ごとに配線パターン１７０を介して電気的に接続され、外部からの入力端子である端子部１５０にそれぞれが接続されている。具体的には、発光素子列１２０ａ，１２０ｂは電気的に接続され、発光素子列の組１２１ａ形成し、端子部１５０ａに接続されている。発光素子列１２０ｃ，１２０ｄは電気的に接続され、発光素子列の組１２１ｂを形成し、端子部１５０ｂに接続されている。発光素子列１２０ｅ，１２０ｆは電気的に接続され、発光素子列の組１２１ｃを形成し、端子部１５０ｃに接続されている。なお、１６０はグランド端子である。配線パターン１７０は、基板１１０に形成された導体パターンにより構成されている。
（フィルター部材）
フィルター部材１４０は、例えば短冊形状であって、発光素子列１２０ｃから１２０ｆまでの、封止部材１３０ｂ、１３０ｃの上に配設されている。フィルター部材１４０は、発光素子列１２０ｃ、１２０ｄに存する波長変換部材１３０ｂに積層される第１の部分１４０ａと、発光素子列１２０ｅ，１２０ｆに存する波長変換部材１３０ｃに積層される第２の部分１４０ｂとから構成されている。フィルター部材１４０は、半導体微（例えば、ＣｄＳ）を分散させたガラスや、色素（蛍光色素も含む）を含有させた透明部材等によって構成されている。図１０は、フィルター部材１４０の透過スペクトルを示す図である。図１０で示すように、３８０ｎｍ〜４９５ｎｍの波長領域の光を吸収し、その光の透過を抑制する。これにより、発光素子１２０からの光の透過を抑制する。更に望ましくは、３８０ｎｍ〜４８０ｎｍの波長範囲の光の透過を抑制するフィルターであっても良い。この場合、第１の波長変換部材の緑色光が短波長側にある場合に、緑色光の短波長側の一部の透過を抑制せずに出射させることができる。
【００４１】
発光素子１２０の光軸上におけるフィルター部材１４０の厚みｔ２は、例えば１．０ｍｍである。発光素子１２０の光軸上におけるフィルター部材１４０の厚みｔ２は、０．５ｍｍ以上１．５ｍｍ以下が好ましい。フィルター部材１４０は、封止部材１３０ｂ、１３０ｃの、樹脂が硬化することによって、封止部材１３０ｂ、１３０ｃに接着されている。
なお、フィルター部材１４０は、３８０ｎｍ〜４９５ｎｍの波長範囲に吸収帯域を有するフィルターの他、３８０ｎｍ〜４９５ｎｍの波長範囲の光を反射する反射フィルターを用いることができる。反射フィルターとして、誘電体多層膜が形成された波長選択フィルターであって、青色領域（３８０ｎｍ〜４９５ｎｍの波長範囲）を含む短波長側の光を反射して、長波長側の光を透過する反射フィルター等を用いることができる。
【００４２】
図８に示すように、基板１１０上に実装された発光素子１２０の上に、封止部材１３０、およびフィルター部材１４０が、順次積層された構成を有する。フィルター部材１４０は、発光素子１２０が構成する発光素子列に沿って短冊状に配積されている。本実施の形態で説明した構成は、構造が簡単で、製造しやすいという利点を有する。
＜発光モジュールの製造方法＞
本実施の形態に係る封止部材１３０は、以下のような手順で形成することができる。図１１は、第１の実施形態に係る発光モジュールの製造方法を示す模式図である。封止部材１３０及びフィルター部材１４０を配設する製造方法を示す。
【００４３】
図１１（ａ）に示すように、列状に並んだ複数の発光素子１２０からなる発光素子列が行方向に複数行並べて実装された基板１１０を用意し、当該基板１１０に、例えばディスペンサを用いて、前記発光素子列に沿って樹脂ペースト１３５をライン状に塗布し、塗布後の樹脂ペースト１３５を固化させる。それによって、前記発光素子列の行毎に個別に封止部材１３０を形成する。
【００４４】
なお、このように発光素子列の行毎に個別に封止部材１３０を形成する構成であれば、蛍光体を含む透光性の樹脂材料で封止部材１３０を形成するような場合に、各封止部材１３０を形成し易い。
樹脂ペースト１３５の粘度は、２０Ｐａ・ｓｅｃ〜６０Ｐａ・ｓｅｃの範囲であることが好ましい。この範囲よりも小さいと、樹脂ペースト１３５を塗布した直後からその樹脂ペースト１３５の形状が崩れてしまうため、設計どおりの形状の封止部材１３０を形成することが困難である。樹脂ペースト１３５を高粘度にすれば、当該樹脂ペースト１３５に含有される蛍光体が沈降し難くなるため、発光モジュールの出射光に色むらが生じ難い。
【００４５】
フィルター部材１４０は、図１１（ｂ）に示すように、当該樹脂ペースト１３５を塗布した後に、樹脂ペースト１３５の上に設置される。樹脂ペースト１３５が硬化することによって、フィルター部材１４０は、封止部材１３０ｂ、１３０ｃに接着される。
＜点灯回路＞
図９は、発光モジュールと点灯装置との接続状態を示す配線図である。回路ユニット４は、外部の商用交流電源（不図示）および端子部１５０ａ、１５０ｂ、１５０ｃと電気的に接続されており、外部の商用交流電源から入力される電流を発光モジュール１０に供給する。回路ユニット４は、点灯回路部４１０ａ、４１０ｂ、４１０ｃと、制御回路部４５０とを備え、発光色が異なる発光素子列の組１２１ａ，１２１ｂ，１２１ｃごとに点灯制御を行なうことで、発光モジュール１０から出射される光の色温度を自在に変更可能である。
【００４６】
点灯回路部４１０ａ、４１０ｂ、４１０ｃは、ＡＣ／ＤＣコンバータ（不図示）を備える回路で構成され、当該ＡＣ／ＤＣコンバータを用いて商用交流電源からの交流電圧を、それぞれ発光素子列の組１２１ａ，１２１ｂ，１２１ｃに適した直流電圧に変換する。そして、制御回路部４５０からの指示に従って、点灯回路部４１０ａ、４１０ｂ、４１０ｃは発光素子列の組１２１ａ，１２１ｂ，１２１ｃに適した直流電圧を順電圧として発光素子列の組１２１ａ，１２１ｂ，１２１ｃに印加する。つまり、点灯回路部４１０ａ、４１０ｂ、４１０ｃは、発光素子列の組１２１ａ，１２１ｂ，１２１ｃのそれぞれに電力供給する。ＡＣ／ＤＣコンバータとしては、例えばダイオードブリッジなどが用いられる。
【００４７】
制御回路部４５０は、マイクロプロセッサとメモリとを備えている。制御回路部４５０は、マイクロプロセッサを用いて、外部から入力された指示に基づいてメモリに記憶された調光比を読み出し、調光比にしたがって発光素子列の組１２１ａ，１２１ｂ，１２１ｃを調光制御する。より具体的には、制御回路部４５０は、上記調光比にしたがって発光素子列の組１２１ａ，１２１ｂ，１２１ｃの各デューティ比を設定することによって、発光素子列の組１２１ａ，１２１ｂ，１２１ｃをＰＷＭ（ｐｕｌｓｅ−ｗｉｄｔｈ  ｍｏｄｕｌａｔｉｏｎ）制御する。
【００４８】
本構成を採用し、発光素子列の組１２１ａから発光される青色光、緑色発光素子列の組１２１ｂから発光される緑色光、赤色発光素子列の組１２１ｃから発光される赤色光の強度を、３種類の発光素子列の組１２１ａ，１２１ｂ，１２１ｃごとに点灯制御すれば、発光色を自在に切り替えられる発光モジュールを得ることができる。なお、昼光色とは色温度が５７００Ｋ〜７１００Ｋ程度の色を意味し、電球色とは色温度が２６００Ｋ〜３１５０Ｋ程度の色を意味する。
【００４９】
本実施の形態における「発光単位」は、次のように定義される。各個別の発光素子１２０から構成される発光の範囲を「発光単位」としてもよい。また、各発光素子列１２１ａ〜１２０ｆの各々を「発光単位」としてもよい。さらに、同じ条件で駆動される発光素子列の組１２１ａ、１２１ｂ、１２１ｃを「発光単位」と定義しても良い。
また、波長変換部材１３０ｂ、及び波長変換部材１３０ｃの「主出射方向」は、図７における、ｚ軸方向である。
＜色再現範囲について＞
本実施の形態で使用したフィルター部材は、図１０で示すように、３８０ｎｍ〜４９５ｎｍの波長範囲の光を吸収又は反射し、青色ＬＥＤ発光素子からの光の透過を抑制する。図１２は、フィルター部材を赤色蛍光体の主出射面側に配設した場合の、青色ＬＥＤを用いた発光素子と赤色蛍光体とを有する赤色発光単位から発光される発光素子及び蛍光体層の発光の光の強度と、赤色蛍光体層に含まれる蛍光体の総量との関係を傾向として示した図である。図１２と、フィルター部材を用いない図２とを比較すると図１２では、赤色蛍光体が最大の輝度を発光する蛍光体量Ａの付近で発光単位を構成し点灯させた場合でも、蛍光体層に吸収されなかった青色ＬＥＤ発光素子からの青色光はフィルター部材によって光の透過を抑制される。そのため、蛍光体層に吸収されなかった青色ＬＥＤ発光素子からの青色光が赤色蛍光体からの赤色光に混合して出力されることを防止できる。
【００５０】
図１３は、実施形態に係るフィルター部材の吸収率と、発光単位を構成する発光素子、及び蛍光体層の発光スペクトルの関係を示す図である。具体的には、３８０ｎｍ〜４９５ｎｍの波長範囲に吸収域を有するフィルター部材の透過率を徐々に変化させた場合の、発光素子及び蛍光体層からの透過光のスペクトルの変化を示す。図１３（ａ）は、緑色発光単位から出力される光の変化を示す。図１３（ｂ）は、赤色発光単位から出力される光の変化を示す。フィルター部材の透過率を徐々に減少させた場合、緑色発光単位、及び赤色光発色単位から放射される青色光の強度は徐々に低下する。
【００５１】
図１４は、フィルター部材の透過率を徐々に変化させた場合の、発光単位からフィルター部材を通して出力される光の示す色度と、発光モジュールからの発光の色度の変化を示す色度図である。本実施の形態の一態様における、発光モジュールの色再現範囲を示す。図１４に示すように、青色方向にシフトしていた赤色発光単位からの光の色度は、本来赤色蛍光体から発光される赤色光の色度に近付き色純度は向上する。緑色発光単位についても、同様に光の色度が、本来緑色蛍光体から発光される緑色光の色度に近付き色純度は向上する。その結果、発光モジュールとして、広い色再現範囲の発光を調光により再現することができる。
【００５２】
具体的には、赤色発光単位に用いるフィルター部材の透過率を５％以下とし、緑色発光単位に用いるフィルター部材の透過率を５％以下とすることで、色温度２１００Ｋ以上の白色の再現できる。また、赤色発光単位に用いるフィルター部材の透過率を１０％以下とし、緑色発光単位に用いるフィルター部材の透過率を５％以下とすることで、色温度２５００Ｋ以上の白色の再現が可能となる。又は、赤色発光単位に用いるフィルター部材の透過率を５％以下とし、緑色発光単位に用いるフィルター部材の透過率を２５％以下とすることで、色温度２５００Ｋ以上の白色の再現が可能となる。また、赤色発光単位に用いるフィルター部材の透過率を２０％以下とし、緑色発光単位に用いるフィルター部材の透過率を５％以下とすることで、色温度３０００Ｋ以上の白色の再現が可能となる。又は、赤色発光単位に用いるフィルター部材の透過率を５％以下とし、緑色発光単位に用いるフィルター部材の透過率を７５％以下とすることで、色温度３０００Ｋ以上の白色の再現が可能となる。赤色発光単位と緑色発光単位に同一のフィルター部材を用いる場合には、フィルター部材の透過率を１５％以下とすることで、色温度３０００Ｋ以上の白色の再現が可能となる。
【００５３】
一方、本実施の形態の発光モジュールでは、上記したように、蛍光体が最大の輝度を発光する蛍光体量の付近で発光単位を構成し点灯させて、輝度を向上することができる。その結果、蛍光体からの光の輝度を低下させることなく、色再現範囲の広い照明装置を提供することができる。
≪変形例≫
＜発光モジュール＞
第１の実施形態の変形例について説明する。図１５は、当該変形例に係る発光モジュール１００を示す斜視図である。図１６は、図１５におけるＢ−Ｂ線で切った断面を示す断面図（後述するフィルター部材１４１を含む。）である。発光モジュール１００は、基板１１０、複数の青色発光ＬＥＤ素子（発光素子）１２０、封止部材１３０、端子部１５０、グランド端子部１６０、配線パターン１７０については、実施の形態１と同じ構成であり、説明を省略する。
（枠体）
本変形例では、基板１１０の外周に、基板１１０を平面方向（ｚ方向）に見たときに、発光素子列１２０ａ〜１２０ｆを取り囲むように、枠体１１２が配設されている。枠体１１２は、基板１１０と同じ材質、例えば、セラミック基板や熱伝導樹脂などからなる絶縁物で形成されている。枠体１１２の高さは、基板１１０上に配設された、封止部材１３０の高さよりも高く設定されている。本変形例では、枠体１１２は連続し、発光素子列１２０ａ〜１２０ｆを完全に取り囲むような構成としたが、断続的に発光素子列１２０ａ〜１２０ｆの周囲に配設されるような構成であってもよい。また、後述するフィルター部材１４１が必要な発光素子列１２０ｃ〜１２０ｆを取り囲むように構成したものであってもよい。なお、枠体１１２は、基板１１０と一体的に形成されているような構成でもよい。
【００５４】
枠体１１２は、例えば、最大高さｈが０．６ｍｍであり、最大幅が１．０ｍｍである。枠体１１２の最大高さｈは０．４ｍｍ以上１．８ｍｍ以下が好ましい。この場合、枠体１１２を形成しやすく、かつ発光素子１２０から出射される光が枠体１１２で遮られ難くすることができる。
（フィルター部材）
枠体１１２の上には、基板１１０を平面方向（ｚ方向）から見たときに、矩形形状をしたフィルター部材１４１が配設されている。フィルター部材１４１は、実施の形態１に用いたフィルター部材１４１と同じく、半導体微粒子（例えば、ＣｄＳ）を分散させたガラスや、色素（蛍光色素も含む）を含有させた透明部材等によって構成され、図１１で示すように、３８０ｎｍ〜４９５ｎｍの波長範囲の光を吸収又は反射し、発光素子１２０からの光の透過を抑制する。フィルター部材１４１は、枠体１１２の頂部に塗布された樹脂性接着材１１３の、樹脂が硬化することによって、枠体１１２に接着されている。フィルター部材１４１は、発光素子列１２０ｃ、１２０ｄに存する波長変換部材１３０ｂに積層される第１の部分１４１ａと、発光素子列１２０ｅ，１２０ｆに存する波長変換部材１３０ｃに積層される第２の部分１４１ｂとを有する。また、フィルター部材１４１は、発光素子列１２０ａ、及び１２０ｂの上方に位置する部分に、スリット状の開口１４２を有する。これにより、青色に発光する発光素子列の組１２１ａから発光される発光素子１２０からの光は、フィルター部材１４１により透過を抑制されることなく、発光モジュールから主出射方向に向けて外部に出力される。一方、フィルター部材１４１は、発光素子列１２０ｃ〜１２０ｆの上方に位置する部分において、緑色及び赤色に発光する発光素子列の組１２１ｂ及び１２１ｃから発光される青色光を吸収する。その結果、発光モジュールからは、緑色及び赤色に発光する発光素子列の組１２１ｂ及び１２１ｃから発光される青色光を除いた光が主出射方向に向けて外部に出力され、発光モジュール１００の色再現範囲を拡大できる。
【００５５】
本変形例は、フィルター部材１４１の構造が簡単で、フィルター部材１４１の組み立てが容易であるという利点を有する。また、フィルター部材１４１が、発光素子列１２０ｃ〜１２０ｆの上方では、連続して配設されることから、発光素子列１２０ｃ〜１２０ｆから発光される光のうち、主出射方向（ｚ方向）以外の方向に漏れ出る光に含まれる青色光も、吸収することができる。
≪第２の実施形態≫
以下、本発明の第２の実施形態に係る発光モジュール、ランプユニット、照明装置について、図面を参照しながら説明する。なお、各図面における部材の縮尺は実際のものとは異なる。
＜照明装置＞
本発明の第２の実施形態に係る照明装置は、第１の実施形態に係る照明装置において、ランプユニット６を、本実施形態に係るランプユニット６００に変更したものである。照明装置における他の構成要素は第１の実施形態と同じであり、説明を省略する。
＜ランプユニット＞
図１７は、本発明の一態様に係るランプユニット６００を示す断面図である。図１８は、本発明の一態様に係るランプユニット６００を示す分解斜視図である。図１８に示すように、ランプユニット６００は、発光モジュール５００以外に、例えば、ベース２０、ホルダ３０、化粧カバー４０、カバー５０、カバー押え部材６０および配線部材７０等を備える。ランプユニット６００は、第１の実施形態に係るランプユニット６において、発光モジュール１０を、第２の実施形態に係る発光モジュール５００に変更したものである。他の構成要素、例えば、ベース２０、ホルダ３０、化粧カバー４０、カバー５０、カバー押え部材６０および配線部材７０等については、第１の実施形態と同じであり、説明を省略する。
＜発光モジュール＞
図１９は、第２の実施形態の一態様に係る発光モジュールを示す平面図である。図２０は、図１９において、Ｃ−Ｃ線で切った断面を示す断面図であって、第２の実施形態に係る発光モジュールにおける後述する緑色発光パッケージの断面を示す。図２１は、発光モジュールと回路ユニットとの接続状態を説明するための配線図である。
【００５６】
図１９に示すように、発光モジュール５００は、実装基板５１０と、青色に発光する発光パッケージ５２０ａ1〜５２０ａ2，緑色に発光する発光パッケージ５２０ｂ1〜５２０ｂ2，赤色に発光する発光パッケージ５２０ｃ1〜５２０ｃ4を備える（以下、「ａ1〜ａ2，ｂ1〜ｂ2，ｃ1〜ｃ4」を付して区別する説明する必要がない箇所では単に「発光パッケージ５２０」と記載する。また、「ａ1〜ａ2，ｂ1〜ｂ2，ｃ1〜ｃ4」における番号を付して区別する説明する必要がない箇所では単に「発光パッケージ５２０ａ」、「発光パッケージ５２０ｂ」、又は「発光パッケージ５２０ｃ」と記載する）。更に、端子部５５０ａ，５５０ｂ，５５０ｃ（以下、「ａ，ｂ，ｃ」を付して区別する説明する必要がない箇所では単に「端子部５５０」と記載する。）と、グランドの端子５６０と、配線パターン５７０とを備える。
（端子部、配線パターン）
青色に発光する発光パッケージ５２０ａ1〜５２０ａ2，緑色に発光する発光パッケージ５２０ｂ1〜５２０ｂ2，赤色に発光する発光パッケージ５２０ｃ1〜５２０ｃ4は、発光色ごとに、電気的に直接に接続され、電気的に発光パッケージ列５２１ａ、５２１ｂ、５２１ｃを構成する。各列は、配線パターン５７０を介して電気的に接続され、外部からの入力端子である端子部５５０にそれぞれが接続されている。具体的には、発光パッケージ列５２１ａは、端子部５５０ａに接続されている。発光パッケージ列５２１ｂは、端子部５５０ｂに接続されている。発光パッケージ列５２１ｃは、端子部５５０ｃに接続されている。配線パターン５７０は、実装基板５１０に形成された導体パターンにより構成されている。
【００５７】
なお、複数の発光パッケージ列の構成は上記に限定されず、１列以上３行以上で構成される３個以上の発光パッケージで構成されていれば良い。
（実装基板）
実装基板５１０は、例えば、セラミック基板や熱伝導樹脂などからなる絶縁層とアルミ板などからなる金属層との２層構造を有し、略円形の板状である。実装基板５１０の上面には複数の発光パッケージ５２０が実装されている。なお、実装基板５１０は、略円形の板状に限らず、略方形の板状等であってもよい。
（発光パッケージ）
緑色発光パッケージ５２０ｂについて説明する。図２０は、本実施の形態の発光モジュール５００において使用する緑色発光パッケージ５２０ｂの一例を示す断面図である。この緑色発光パッケージ５２０ｂは、一対の電極５１４ａ，５１４ｂが設けられた基底部５１３上の平面部５１６に発光素子１２０が実装されている。発光素子１２０の底部に設けられた一対の電極（不図示）は、一対の電極５１４ａ，５１４ｂに各々電気的に接続される。その周囲に側壁部５１５が設けられ、平面部５１６上の側壁部５１５と側壁部５１５の間の凹部に封止部材５３０ｂを充填し硬化させて封止した構造になっている。発光パッケージ５２０ｂは、実装基板５１０に実装され、配線パターン５７０に接続されている。
【００５８】
基底部５１３は、セラミック基板や熱伝導樹脂などからなる絶縁層とアルミ板などから構成される。側壁部５１５は、セラミック基板や熱伝導樹脂などからなる絶縁層から構成される。発光パッケージに実装される発光素子１２０の個数は、１個であっても良く、又は、複数であってもよい。本実施の形態では、発光パッケージ毎に、１個の発光素子１２０が実装された構成を採る。発光素子１２０は、第１の実施形態と同様の構成であり、説明を省略する。
【００５９】
なお、本例示では、発光パッケージ５２０として表面実装型パッケージ（Ｓｕｒｆａｃｅ Ｍｏｕｎｔ Ｄｅｖｉｃｅ（ＳＭＤ））構造の発光パッケージを例示しているが、本発明はこれに限定されず、他の構造の発光パッケージを用いてもよい。
封止部材５３０ｂは、緑色発光蛍光体を含有した透光性の樹脂材料であって、緑色発色蛍光体層を構成する。樹脂材料としては、例えば、シリコーン樹脂、フッソ樹脂、シリコーン・エポキシのハイブリッド樹脂、ユリア樹脂などを用いることができる。緑色蛍光体としては、Ｅｕ2+付活とするアルカリ土類金属シリケート蛍光体、酸窒化物蛍光体、サイアロン結晶を母体とする酸窒化物蛍光体、硫化物蛍光体、Ｃｅ3+付活とするスカンジウム酸塩蛍光体、ガーネット結晶を母体とする酸化物蛍光体が挙げられる。例えば、ＳｒＧａ2Ｓ4：Ｅｕ2+、（ＢａＳｒ）2ＳｉＯ4：Ｅｕ2+、Ｃａ3Ｓｃ2Ｓｉ3０12：Ｃｅ3+、（Ｓｉ，Ａｌ）6（Ｏ，Ｎ）6：Ｅｕ2+、ＢａＳｉ6Ｏ12Ｎ2：Ｅｕ2+等を用いることができる。
【００６０】
また緑色蛍光体の代わりに黄色蛍光体であってもよく、黄色蛍光体としては、Ｅｕ2+付活とするアルカリ土類金属シリケート蛍光体、酸窒化物蛍光体、サイアロン結晶を母体とする酸窒化物蛍光体、硫化物蛍光体、Ｃｅ3+付活とするガーネット結晶を母体とする酸化物蛍光体が挙げられる。例えば、Ｙ3Ａｌ5Ｏ12：Ｃｅ3+等を用いることができる。
次に、赤色発光パッケージ５２０ｃについて説明する。赤色発光パッケージ５２０ｃは、図２０に示す緑色発光パッケージ５２０ｂにおける発光素子１２０、基底部５１３、基底部５１３の一対の電極５１４ａ，５１４ｂ、基底部５１３上の平面部５１６、側壁部５１５と同様の構成を有する。そのため、これらの構成については説明を省略する。赤色発光パッケージ５２０ｃは、図２０に示す緑色発光パッケージ５２０ｂにおける封止部材５３０ｂとは構成の異なる封止部材（以下、「封止部材５３０ｃ」と称する。）を有する。封止部材５３０ｃは、赤色蛍光体を含有した透光性の樹脂材料であって、赤発色蛍光体層を構成する。樹脂材料としては、例えば、シリコーン樹脂、フッソ樹脂、シリコーン・エポキシのハイブリッド樹脂、ユリア樹脂などを用いることができる。赤色蛍光体としては、Ｅｕ付活とする窒化物蛍光体、酸窒化物蛍光体、サイアロン結晶を母体とする酸窒化物蛍光体、アルカリ土類金属シリケート蛍光体、硫化物蛍光体が挙げられる。例えば、（Ｃａ，Ｓｒ）2Ｓｉ5Ｎ8：Ｅｕ2+、（Ｃａ，Ｓｒ）ＡｌＳｉＮ3：Ｅｕ2+、ＣａＳｉＮ2：Ｅｕ2+等を用いることができる。
【００６１】
次に、青色発光パッケージ５２０ａについて説明する。青色発光パッケージ５２０ａは、図２０に示す赤色発光パッケージ５２０ｂにおける発光素子１２０、基底部５１３、基底部５１３の一対の電極５１４ａ，５１４ｂ、基底部５１３上の平面部５１６、側壁部５１５と同様の構成を有する。そのため、これらの構成については説明を省略する。青色発光パッケージ５２０ａは、図２０に示す赤色発光パッケージ５２０ｂにおける封止部材は構成の異なる封止部材（以降、「封止部材５３０ｂ」と称する。）を有する。封止部材５３０ａは、蛍光体を含まない透光性の樹脂材料で形成されている。樹脂材料としては、例えば、シリコーン樹脂、フッソ樹脂、シリコーン・エポキシのハイブリッド樹脂、ユリア樹脂などを用いることができる。本実施の形態では、３行ある発光パッケージ列５２１ａ〜５２１ｃのうち、発光パッケージ列５２１ａは蛍光体を含まない封止部材１３０ａが配設されている。発光パッケージ列５２１ｂには、緑色蛍光体Ｃａ3Ｓｃ2０4：Ｃｅ3+を含む封止部材５３０ｂが配設されている。発光パッケージ列５２１ｃには、赤色蛍光体ＣａＡｌＳｉＮ3：Ｅｕ2+を含む封止部材５３０ｃが配設されている。（以降、封止部材５３０ｂを「第１の波長変換部材５３０ｂ」と、封止部材５３０ｃを「第２の波長変換部材５３０ｃ」と称する。）具体的には、第１の波長変換部材５３０ｂの蛍光体は、発光素子１２０から出射された約４６０ｎｍに主波長を有する青色光を第１の波長として約５１０ｎｍ付近に主波長を有する緑色光に変換する蛍光体である。一方、第２の波長変換部材５３０ｃの蛍光体は、発光素子１２０から出射された約４６０ｎｍに主波長を持つ青色光を第２の波長として約６３０ｎｍ付近に主波長を有する赤色光に変換する蛍光体である。これにより、発光パッケージ列５２１ａは、発光素子１２０から出射される青色光をそのまま出力することができる。発光パッケージ列５２１ｂは、発光素子１２０から出射される青色光を概ね緑色に変換して出力することができる。発光パッケージ列５２１ｃは発光素子１２０から出射される青色光を概ね赤色に変換して出力することができる。
【００６２】
なお、発光パッケージ列５２１ｂおよび発光パッケージ列５２１ｃに用いる発光素子は、青色ＬＥＤに限らず近紫外発光ＬＥＤであってもよい。ただし、発光パッケージ列５２１ｂおよび発光パッケージ列５２１ｃに用いる発光素子は、青色ＬＥＤのほうが本発明の作用効果をより発揮することができる。
発光素子１２０の光軸上における第１の波長変換部材５３０ｂの厚み、および第２の波長変換部材５３０ｃの厚みｔ１は、例えば０．８ｍｍである。なお、発光素子１２０の光軸上における第１の波長変換部材５３０ｂの厚み、および第２の波長変換部材５３０ｃの厚みｔ１は、０．２ｍｍ以上１．８ｍｍ以下が好ましい。この場合、製造時において、第１の波長変換部材５３０ｂおよび第２の波長変換部材５３０ｃを一回の塗布形成で形成しやすくすることができる。
【００６３】
また、上記実施の形態では、緑色発色単位に用いる第１の波長変換部材５３０ｂに含まれる蛍光体として、緑色発光蛍光体Ｃａ3Ｓｃ2０4：Ｃｅ3+を用い、緑色又は黄色の波長範囲に発光分布を有する蛍光体を用いる構成であっても良い。蛍光体としては、５４０ｎｍ付近にピーク波長を有する（Ｓｒ，Ｃａ）Ｓｉ2Ｏ2Ｎ2：Ｅｕ2+を用いることができる。
（フィルター部材）
図２０に示すように、緑色発光パッケージ５２０ｂの上には、側壁部５１５の頂部５１７、及び封止部材５３０ｂの上方に、フィルター部材５４０の第１の部分５４０ａが配設されている。フィルター部材５４０は、第１の波長変換部材５３０ｂに積層される第１の部分５４０ａと、第２の波長変換部材５３０ｃに積層される第２の部分５４０ｂとから構成されている。フィルター部材５４０は、半導体微粒子（例えば、ＣｄＳ）を分散させたガラスや、色素（蛍光色素も含む）を含有させた透明部材等によって構成されている。フィルター部材５４０の第１の部分５４０ａの光学的特性は、第１の実施形態におけるフィルター部材１４０の第１の部分１４０ａと同じであり、説明を省略する。発光素子１２０の光軸上におけるフィルター部材５４０の厚みｔ２は、例えば１．０ｍｍである。発光素子１２０の光軸上におけるフィルター部材５４０の厚みｔ２は、０．５ｍｍ以上１．５ｍｍ以下が好ましい。フィルター部材５４０の第１の部分５４０ａは、封止部材５３０の、樹脂が硬化することによって、封止部材５３０ｂに接着されている。
【００６４】
赤色発光パッケージ５２０ｃの上には、図２０に示す緑色発光パッケージ５２０ｂの上に配設された封止部材５４０の第１の部分５４０ａに変えて、フィルター部材５４０の第２の部分５４０ｂが配設されている。フィルター部材５４０は、半導体微粒子（例えば、ＣｄＳ）を分散させたガラスや、色素（蛍光色素も含む）を含有させた透明部材等によって構成されている。フィルター部材５４０の第２の部分５４０ｂの光学的特性は、第１の実施形態におけるフィルター部材１４０の第２の部分１４０ｂと同じであり、説明を省略する。発光素子１２０の光軸上におけるフィルター部材５４０の厚みｔ２は、例えば１．０ｍｍである。発光素子１２０の光軸上におけるフィルター部材５４０の厚みｔ２は、０．５ｍｍ以上１．５ｍｍ以下が好ましい。フィルター部材５４０の第２の部分５４０ｂは、封止部材５３０ｃの、樹脂が硬化することによって、封止部材５３０ｃに接着されている。
【００６５】
青色発光パッケージ列５２１ａに含まれる青色発光パッケージ５２０ａの上には、フィルター部材５４０は設けられていない。
＜発光モジュールの取り付け＞
図１８に示すように、第２の実施形態に係る発光モジュール５００は、第１の実施形態と同様に、ホルダ３０が押え板部３１で発光モジュール５００を搭載部２１に押えつけることによって、ベース２０に固定されている。  押え板部３１の中央には、発光モジュール５００の波長変換部材１３等を露出させるための窓孔３３が形成されている。また、押え板部３１の周部には、発光モジュール５００に接続されたリード線７１がホルダ３０に干渉するのを防止するための開口部３４が、窓孔３３と連通した状態で形成されている。ホルダ３０をベース２０に取り付ける際には、まず、ホルダ３０の窓孔３３から発光モジュール５００の発光パッケージ５２０等が露出する状態で、ベース２０とホルダ３０とで発光モジュール５００を挟持する。次に、組立ねじ３５を、ホルダ３０の押え板部３１の上方からねじ挿通孔３６に挿通し、ベース２０のねじ孔２２に螺合させることによって、ホルダ３０をベース２０に取り付ける。
＜点灯回路＞
図２１は、発光モジュールと点灯装置との接続状態を示す配線図である。回路ユニット４は、外部の商用交流電源（不図示）および端子部５５０ａ、５５０ｂ、５５０ｃと電気的に接続されており、外部の商用交流電源から入力される電流を発光モジュール５００に供給する。回路ユニット４は、点灯回路部４１０ａ、４１０ｂ、４１０ｃと、制御回路部４５０とを備え、発光色が異なる発光パッケージ列５２１ａ，５２１ｂ，５２１ｃごとに点灯制御を行なうことで、発光モジュール５００から出射される光の色温度を自在に変更可能である。
【００６６】
点灯回路部４１０ａ、４１０ｂ、４１０ｃは、ＡＣ／ＤＣコンバータ（不図示）を備える回路で構成され、当該ＡＣ／ＤＣコンバータを用いて商用交流電源からの交流電圧を、それぞれ発光パッケージ列５２１ａ，５２１ｂ，５２１ｃに適した直流電圧に変換する。そして、制御回路部４５０からの指示に従って、点灯回路部４１０ａ、４１０ｂ、４１０ｃは発光パッケージ列５２１ａ，５２１ｂ，５２１ｃに適した直流電圧を順電圧として発光パッケージ列５２１ａ，５２１ｂ，５２１ｃに印加する。つまり、点灯回路部４１０ａ、４１０ｂ、４１０ｃは、発光パッケージ列５２１ａ，５２１ｂ，５２１ｃのそれぞれに電力供給する。ＡＣ／ＤＣコンバータとしては、例えばダイオードブリッジなどが用いられる。
【００６７】
制御回路部４５０は、マイクロプロセッサとメモリとを備えている。制御回路部４５０は、マイクロプロセッサを用いて、外部から入力された指示に基づいてメモリに記憶された調光比を読み出し、調光比にしたがって発光パッケージ列５２１ａ，５２１ｂ，５２１ｃを調光制御する。より具体的には、制御回路部４５０は、上記調光比にしたがって発光パッケージ列５２１ａ，５２１ｂ，５２１ｃの各デューティ比を設定することによって、発光パッケージ列５２１ａ，５２１ｂ，５２１ｃをＰＷＭ制御する。
【００６８】
本構成を採用し、発光パッケージ列５２１ａから発光される青色光、緑色発光パッケージ列５２１ｂから発光される緑色光、赤色発光パッケージ列５２１ｃから発光される赤色光の強度を、３種類の発光パッケージ列５２１ａ，５２１ｂ，５２１ｃごとに点灯制御すれば、発光色を自在に切り替えられる発光モジュールを得ることができる。
なお、昼光色とは色温度が５７００Ｋ〜７１００Ｋ程度の色を意味し、電球色とは色温度が２６００Ｋ〜３５５０Ｋ程度の色を意味する。
【００６９】
本実施の形態における「発光単位」は、各発光パッケージ５２０のうちフィルター部材５４０を除く部分を指す。各１個の発光パッケージ５２０から構成される上記部分を「発光単位」としてもよい。また、各発光パッケージ列５２１ａ〜５２１ｃの各々に含まれる上記部分を「発光単位」としてもよい。
また、「主出射方向」とは、図１９における、紙面垂直な紙面手前方向を指す。
＜色再現範囲について＞
第１の実施形態と同様であり、説明を省略する。
≪変形例≫
＜発光モジュール＞
第２の実施形態の変形例に係る発光モジュールについて説明する。本変形例に係る発光モジュールは、図１９に示す第２の実施形態に係る発光モジュール５００における実装基板５１０、端子部５５０ａ，ｂ，ｃ、グランド端子部５６０、配線パターン５７０と同様の構成を有するため、当該要素については説明を省略する。
【００７０】
本変形例に係る発光モジュールは、第２の実施形態に係る青色発光パッケージ５２０ａ1、５２０ａ2に対応した、青色発光パッケージ６２０ａ1、６２０ａ2を有する。また、第２の実施形態に係る緑色発光パッケージ５２０ｂ1、５２０ｂ2に対応した、緑色発光パッケージ６２０ｂ1、６２０ｂ2を有する。また、第２の実施形態に係る赤色発光パッケージ５２０ｃ1〜５２０ｃ4に対応した、赤色発光パッケージ６２０ｃ1〜６２０ｃ4を有する。また、第２の実施形態に係る発光パッケージ列５２１ａ〜５２１ｃに対応した、青色、緑色、又は赤色に各々発光する３列の発光パッケージ列６２１ａ〜６２１ｃを有する。（以下、「ａ1〜ａ2，ｂ1〜ｂ2，ｃ1〜ｃ4」を付して区別する説明する必要がない箇所では単に「発光パッケージ６２０」と記載する。また、「ａ1〜ａ2，ｂ1〜ｂ2，ｃ1〜ｃ4」における番号を付して区別する説明する必要がない箇所では単に「発光パッケージ６２０ａ」、「発光パッケージ６２０ｂ」、又は「発光パッケージ６２０ｃ」と記載する）各色の発光パッケージ６２０ａ、６２０ｂ、６２０ｃ、及び発光パッケージ列６２１ａ、６２１ｂ、６２１ｃの配置及び接続は、図１９に示した第２の実施形態に係る発光モジュールと同様であるので説明を省略する。
（発光パッケージ）
図２２は、変形例に係る緑色発光パッケージ６２０ｂの断面図であって、第２の実施形態に係る緑色発光パッケージ５２０ｂの断面を示す図２０と同様の方向、位置から、変形例に係る緑色発光パッケージ６２０ｂの断面を示した断面図である。
【００７１】
図２２に示す変形例に係る緑色発光パッケージ６２０ｂにおける発光素子１２０、基底部５１３、基底部５１３の一対の電極５１４ａ，５１４ｂ、基底部５１３上の平面部５１６、側壁部５１５は、図２０に示す第２の実施形態に係る緑色発光パッケージ５２０ｂにおける発光素子１２０、基底部５１３、基底部５１３の一対の電極５１４ａ，５１４ｂ、基底部５１３上の平面部５１６、側壁部５１５は同様の構成を有する。したがって、これらの構成については説明を省略する。
【００７２】
図２２に示すように、緑色発光パッケージ６２０ｂは、封止部材６３０ａ、波長変換部材６３０ｂにおいて、第２の実施形態と相違する。
変形例に係る緑色発光パッケージ６２０ｂでは、発光素子１２０は蛍光体を含まない封止部材６３０ａによって、封止されている。封止部材の材質、波長変換部材の材質は、第２の実施形態に係る封止部材５３０ａと同様であり、説明を省略する。
【００７３】
緑色発光パッケージ６２０ｂには、緑色蛍光体Ｃａ3Ｓｃ2０4：Ｃｅ3+を含んだ樹脂材料からなる波長変換部材６３０ｂが、側壁部５１５の頂部５１７、及び封止部材６３０ａの上方に配設されている。（以降、封止部材６３０ｂを「第１の波長変換部材６３０ｂ」と称する。）
次に赤色発光パッケージ６２０ｃについて説明する。赤色発光パッケージ６２０ｃは、図２２に示す緑色発光パッケージ６２０ｂにおける発光素子１２０、基底部５１３、基底部５１３の一対の電極５１４ａ，５１４ｂ、基底部５１３上の平面部５１６、側壁部５１５、封止部材６３０ａと同様の構成を有するため、これらの構成については説明を省略する。赤色発光パッケージ６２０ｃには、赤色蛍光体ＣａＡｌＳｉＮ3：Ｅｕ2+を含んだ樹脂材料からなる波長変換部材６３０ｃが、側壁部５１５の頂部５１７、及び封止部材６３０ａの上方に配設されている。（以降、封止部材６３０ｃを「第２の波長変換部材６３０ｃ」と称する。）
次に青色発光パッケージ６２０ａについて説明する。青色発光パッケージ６２０ａは、図２２に示す緑色発光パッケージ６２０ｂにおける発光素子１２０、基底部５１３、基底部５１３の一対の電極５１４ａ，５１４ｂ、基底部５１３上の平面部５１６、側壁部５１５、封止部材６３０ａと同様の構成を有するため、これらの構成については説明を省略する。青色発光パッケージ６２０ａには、側壁部５１５の頂部５１７に、封止部材６３０ａの上方には、波長変換部材は配設されていない。
（フィルター部材）
図２２に示すように、第１の波長変換部材６３０ｂから発する光の主出射方向前方には、フィルター部材６４０の第１の部分６４０ａが配設されている。第２の波長変換部材６３０ｃから発する光の主出射方向前方には、第１の部分６４０ａに変えて、フィルター部材６４０の第２の部分６４０ｂが配設されている。フィルター部材６４０の、材質、光学的特性、厚み、配設方法は、第２の実施形態に係るフィルター部材５４０と同じであり説明を省略する。青色発光パッケージ列６２１ａに含まれる青色発光パッケージ６２０ａの上には、フィルター部材６４０は設けられていない。
【００７４】
本変形例に係る発光モジュールによって、第２の実施形態に係る発光パッケージと同様に、発光パッケージ列６２１ａから発光される青色光、緑色発光パッケージ列６２１ｂから発光される緑色光、赤色発光パッケージ列６２１ｃから発光される赤色光の強度を、３種類の発光パッケージ列６２１ａ，６２１ｂ，６２１ｃごとに点灯制御すれば、発光色を自在に切り替えられる発光モジュールを得ることができる。
≪まとめ≫
以上、本発明の構成を、上記実施の形態および変形例に基づいて説明したが、本発明は上記実施の形態およびその変形例に限られない。例えば、上記実施形態およびその変形例の部分的な構成を、適宜組み合わせてなる構成であっても良い。また、上記実施の形態に記載した材料、数値等は好ましいものを例示しているだけであり、それに限定されることはない。さらに、本発明の技術的思想の範囲を逸脱しない範囲で、構成に適宜変更を加えることは可能である。本発明に係る発光モジュール、ランプユニットおよび照明装置は、照明用途全般に広く利用可能である。
【符号の説明】
【００７５】
１  照明装置
４  回路ユニット
６，６００  ランプユニット
１０，１０１，５００  発光モジュール
１１０  基板
１１２  枠体
１２０ａ1〜１２ａ5，１２０ｂ1〜１２０ｂ5  第１の発光素子
１２０ｃ1〜１２ｃ5，１２０ｄ1〜１２０ｄ5  第２の発光素子
１２０ｅ1〜１２ｅ5，１２０ｆ1〜１２０ｆ5  第３の発光素子
１３０ａ，５３０ａ，６３０ａ  封止部材
１３０ｂ，５３０ｂ，６３０ｂ  封止部材、第１の波長変換部材
１３０ｃ，５３０ｃ，６３０ｃ  封止部材、第２の波長変換部材
１４０，１４１，５４０，６４０  フィルター部材
１４０ａ，１４１ａ，５４０ａ，６４０ａ  フィルター部材の第１の部分
１４０ｂ，１４１ｂ，５４０ｂ，６４０ｂ  フィルター部材の第２の部分
５１０  実装基板
５１３  基底部
５１５  側壁部
５１６  平面部
５１７  側壁部の頂部
５２０ａ1〜５２０ａ2，６２０ａ1〜６２０ａ2  第１の発光パッケージ
５２０ｂ1〜５２０ｂ2，６２０ｂ1〜６２０ｂ2 第２の発光パッケージ
５２０ｃ1〜５２０ｃ4，６２０ｃ1〜６２０ｃ4 第３の発光パッケージ
【図１】
2013257985.tif 000003
【図２】
2013257985.tif 000004
【図３】
2013257985.tif 000005
【図４】
2013257985.tif 000006
【図５】
2013257985.tif 000007
【図６】
2013257985.tif 000008
【図７】
2013257985.tif 000009
【図８】
2013257985.tif 000010
【図９】
2013257985.tif 000011
【図１０】
2013257985.tif 000012
【図１１】
2013257985.tif 000013
【図１２】
2013257985.tif 000014
【図１３】
2013257985.tif 000015
【図１４】
2013257985.tif 000016
【図１５】
2013257985.tif 000017
【図１６】
2013257985.tif 000018
【図１７】
2013257985.tif 000019
【図１８】
2013257985.tif 000020
【図１９】
2013257985.tif 000021
【図２０】
2013257985.tif 000022
【図２１】
2013257985.tif 000023
【図２２】
2013257985.tif 000024